(57)【要約】【課題】計算機を設置する領域における高いセキュリティを保ったまま、計算機の異常時に作業員がただちに前記領域に到達して計算機の修理等を行うことができるデータセンターを提供すること。【解決手段】計算機を設置及び運用する通信機械室１１と、計算機の稼動情況に関するデータが集められ計算機の監視を行う人員を収容するスペースをもつ監視室１２と、低セキュリティ領域３１〜３５と、低セキュリティ領域３１〜３５と通信機械室１１との間に設置されたセキュリティゲートと、を有し、低セキュリティ領域３１〜３５からみて通信機械室１１及び監視室１２はいずれもセキュリティゲートを通過した先に配置され、通信機械室１１と監視室１２とは、セキュリティゲートを経ることなく相互に往来できるように配置されている、データセンター。【選択図】図１
0003187109.tif 000002
【実用新案登録請求の範囲】
【請求項１】
計算機を設置及び運用する通信機械室と、
上記計算機の稼動情況に関するデータが集められ上記計算機の監視を行う人員を収容するスペースをもつ監視室と、
低セキュリティ領域と、
低セキュリティ領域と通信機械室との間に設置されたセキュリティゲートと、
を有し、
低セキュリティ領域からみて通信機械室及び監視室はいずれも上記セキュリティゲートを通過した先に配置され、
通信機械室と監視室とは、上記セキュリティゲートを経ることなく相互に往来できるように配置されている、
データセンター。
【請求項２】
当該データセンターの階数が２以上であり、第１の階に設けられた第１の通信機械室および第１の階より高い第２の階に設けられた第２の通信機械室を有し、監視室内に階段が存在し、第１の通信機械室と第２の通信機械室とは前記階段を通ることにより上記セキュリティゲートを経ることなく相互に往来できるように配置されている、請求項１記載のデータセンター。
【請求項３】
上記階段が存在する監視室が、上記第１の階より高くかつ上記第２の階より低い位置に配置されている、請求項２記載のデータセンター。
【考案の詳細な説明】
【技術分野】
【０００１】
本考案はデータセンターに関する。
【背景技術】
【０００２】
データセンターでは、多数のサーバやルータ等の計算機がサーバラック等を利用して収納される。一般的に、これらの多数のサーバラック等が収納されるコンピュータ室等は、いわゆる大部屋仕様で構成され、大きなフロアの空いているスペースにサーバラックやその他の機械が配置される。
【０００３】
データセンターにおける計算機には顧客にとっての重要な秘密情報などが格納される場合がある。このため、計算機を設置する領域は高いレベルのセキュリティが施されるべきである。他方、データセンターには一般的な備品も存在し、また、修理用具等を格納する倉庫なども存在する。このため、通常は、データセンター全体を一定のセキュリティレベルになるようにセキュリティゲートを設けるとともに、計算機を設置する領域のみは、さらに高レベルのセキュリティが施されるように二重のセキュリティゲートを設けることなどが行われている。
【考案の概要】
【考案が解決しようとする課題】
【０００４】
データセンターにおける計算機の安定的な運用は、顧客の業務の成否に直結する可能性があるため、計算機の管理情報（動作温度等）を常に監視し、異常時における迅速な対応が図れることが好ましい。ただし、上述のように、計算機を設置する領域へ到達するためには二重のセキュリティゲートを通過する必要があるため、迅速性の担保のためには、故障等が発生した計算機を遠隔的に処置することが指向される傾向がある。とりわけ、高レベルのセキュリティとして生体認証技術を用いる場合は、認証作業に時間を要するのが実情であり、計算機の設置現場へ赴くことを妨げる要因になる。計算機の異常については、結果的に、遠隔的に計算機を監視して修理できる場合もあるが、計算機が物理的に故障する場合などは、計算機を設置している現場に赴いて部品交換などの修理作業を行う必要があり、長時間にわたる計算機の不稼動状態が生じるおそれがある。
【０００５】
本考案では、計算機を設置する領域における高いセキュリティを保ったまま、計算機の異常時に作業員がただちに前記領域に到達して計算機の修理等を行うことができるデータセンターを提供することを目的とする。
【課題を解決するための手段】
【０００６】
本考案者は鋭意工夫の結果、以下の考案を完成した。
（１）計算機を設置及び運用する通信機械室と、上記計算機の稼動情況に関するデータが集められ上記計算機の監視を行う人員を収容するスペースをもつ監視室と、低セキュリティ領域と、低セキュリティ領域と通信機械室との間に設置されたセキュリティゲートと、を有し、低セキュリティ領域からみて通信機械室及び監視室はいずれも上記セキュリティゲートを通過した先に配置され、通信機械室と監視室とは、上記セキュリティゲートを経ることなく相互に往来できるように配置されている、データセンター。
（２）当該データセンターの階数が２以上であり、第１の階に設けられた第１の通信機械室および第１の階より高い第２の階に設けられた第２の通信機械室を有し、監視室内に階段が存在し、第１の通信機械室と第２の通信機械室とは前記階段を通ることにより上記セキュリティゲートを経ることなく相互に往来できるように配置されている、（１）のデータセンター。
（３）上記階段が存在する監視室が、上記第１の階より高くかつ上記第２の階より低い位置に配置されている、（２）のデータセンター。
【考案の効果】
【０００７】
本考案によれば、サーバ等の計算機の状態を監視する人員は通信機械室と同じセキュリティレベルにある監視室に常駐することができ、計算機の不具合などが発生した場合には、セキュリティチェックを経ることなく当該計算機の傍に赴いて不具合への対処を行うことができる。このようにして、高いセキュリティレベルの維持と迅速なる不具合解消とを両立することができる。
【図面の簡単な説明】
【０００８】
【図１】本考案のデータセンターの一例の模式平面図である。
【考案を実施するための形態】
【０００９】
図面を適宜参照しながら本考案を詳述する。但し、本考案は図示された態様に限定されるわけでなく、また、図面においては考案の特徴的な部分を強調して表現することがあるので、図面各部において縮尺の正確性は必ずしも担保されていない。
【００１０】
本考案のデータセンターはサーバ等の計算機を設置及び運用するための構築物である。データセンターは建築物として固定されていてもよいし、トレーラーなどによって移動可能なように構成されていてもよい。データセンターにおける免振・耐震性能や電源の安定性などについては、従来技術を適宜援用することができる。通常、データセンター全体が、外部からみて何らかのセキュリティが施されている。例えば、入り口の数を制限して、そこでの入出者管理を徹底することなどが挙げられる。データセンター全体に施されるセキュリティについては本考案では特に限定は無く、従来のセキュリティ技術を適宜援用することができる。
【００１１】
データセンター内に設置及び運用を予定する計算機については、いわゆるサーバやルータなどと呼ばれる機器などを特に限定無く挙げることができる。
【００１２】
図１は本考案のデータセンターの一例の模式平面図である。データセンターには通信機械室１１が設けられる。通信機械室１１は、計算機（図示せず）が設置され運用されることが意図される領域である。データセンターにおける計算機が有する情報の貴重性および計算機の安定的な運用の重要性を鑑み、通信機械室１１は高度なセキュリティレベルにて管理される。
【００１３】
通常は、データセンターの外部から直接に通信機械室１１へ入ることはできず、外部からの進入においては、まず、通信機械室１１のセキュリティレベルよりも低いセキュリティレベルの領域を経て、しかる後に、通信機械室１１への入室が可能なように設計されている。図示された態様では、外部から、まず、廊下３１への進入が可能である。廊下から、前室２１又は２２を経て通信機械室１１へ入ることができる。前室２１、２２において高度なセキュリティゲートが設けられる。高度なセキュリティゲートの具体的態様は特に限定無く、例えば、指紋認証、静脈認証、虹彩認証などといった各種の生体認証などが非限定的に挙げられる。一般に、生体認証はセキュリティレベルは高いが、認証作業に時間を要しがちである。本考案によれば、ひとたび監視室１２に入った作業員は、計算機が異常を示す際に、時間のかかる高度なセキュリティゲートを通ることなく通信機械室１１の計算機の傍に赴くことができるので、作業の迅速性と高セキュリティとの両立が図られる。
【００１４】
上記のような構成によれば、データセンター全体は上述の高度なセキュリティゲートを境界として少なくとも２段階のセキュリティレベルが設定されていると評価することができる。本考案では、通信機械室１１への進入に要するセキュリティゲートを経ない領域を低セキュリティ領域と定義することができる。低セキュリティ領域内にさらにセキュリティゲートを設けて、さらに細かくセキュリティレベルを設定してもよい。
【００１５】
図示された態様では、上述の廊下３１は通信機械室１１への進入に要するセキュリティゲートを経ないので、低セキュリティ領域である。さらに、廊下３１に通ずる倉庫３２、階段３３、作業領域３４・３５も低セキュリティ領域である。作業領域３４・３５の具体的な機能は特に限定は無く、例えば、作業員用の控え室であったり、一般的な事務室であったり、トイレなどであってもよい。
【００１６】
本考案によれば、データセンターは監視室１２を有する。監視室１２は、通信機械室１１にて設置及び運用されている計算機の稼動状況に関するデータが集められ、これらの計算機の監視を行う人員を収容するスペースをもつ。計算機の稼動状況に関するデータは、例えば、計算機におけるＣＰＵや記憶装置等の温度データや、計算機の作業ログなどのデータが挙げられ、どのようなデータを収集するかについては、計算機管理に関する従来技術を適宜援用することができる。監視室１２には好ましくは監視員が常駐しており、監視室１２には当該監視員が常駐するに足るスペースが確保されることが好ましい。
【００１７】
本考案によれば、通信機械室１１と低レベル領域との間にあるセキュリティゲートを経ることなく、通信機械室１１と監視室１２とが往き来できるように配置されている。したがって、低レベル領域からみたとき、通信機械室１１と監視室１２とは、ともに、上述のセキュリティゲートを経た先に配置されることになる。
【００１８】
好適には、監視室１２では監視員が、常時、計算機の稼動状況に関するデータを監視して、計算機の安定的な稼動を支援する。ひとたび計算機の異常を示すデータが発せられたときには、監視室１２から監視員が異常を示す計算機の傍らに赴いて修理などの必要な作業を行うことができる。このとき、監視室１２から通信機械室１１へは高度なセキュリティゲートを経ることなく往き来できるので、異常を示す計算機の傍らに作業員が到達するまでに要する時間が極めて短く、例えば、５分以内などとすることができる。
【００１９】
このように監視員が容易に監視室１２から通信機械室１１へ移動できることにより、計算機の異常を示すデータを発見した監視員は、監視室１２内で遠隔的に作業するよりも計算機全体の状態を把握しやすい現場にまで赴くことを躊躇させないという心理的な効果も期待できる。従来技術のように、監視室１２と通信機械室１１との間に高度なセキュリティゲートが存在する場合には、計算機の異常を仮に発見したとしても、セキュリティゲートの通過に伴う繁雑な処理を懸念して監視室１２内にとどまって遠隔的に計算機の異常を修理しようとする動機付けが働く懸念が存在していた。このような遠隔的な修理によって計算機が正常に戻らない場合には、計算機の故障時間が長引くことになり、場合によっては、早期修理を怠ったことが起因してより深刻な計算機の故障を引き起こすことさえ懸念されていた。このような観点から、本考案のように、監視室１２と通信機械室１１との往来にかかる心理的障壁が格段に小さくなることの効果は計り知れないと評価することができる。
【００２０】
以上のようにして、計算機の異常事態がより迅速に解決される可能性が高まることから、計算機の稼働率の向上が期待される。そして、通信機械室１１については、従来技術の場合に比して、セキュリティレベルが低下する訳でもない。なお、通信機械室１１と監視室１２との間に、簡易的なセキュリティゲートを設けてもよい。
【００２１】
本考案によれば、データセンターは平屋であってもよいし、複数の階を有していてもよい。データセンターが２以上の階数をもち、通信機械室１１が２フロア以上にわたって存在する場合、従来技術では監視室１２とは異なるフロアにある通信機械室１１への移動は特に不便であった。本考案の好適態様によれば、監視室１２内に階段１３が存在し、低位のフロアにある第１の通信機械室１１と、高位のフロアにある第２の通信機械室（図示せず）とを、監視室内１２に配置された階段１３を経て往き来することができるように構成されている。このような構成により、監視室１２内の監視員は、第１及び第２のいずれの通信機械室に対しても、低セキュリティレベル領域と通信機械室との間にある高度なセキュリティゲートを経ることなく、往き来することができる。よって、複数のフロア（階数）にわたって設けられた通信機械室の大量の計算機に対して、異常が示されれば直ちに傍らにまで赴くことができ、迅速な修理が可能になる。本考案によれば、階数は３以上であってもよい。
【００２２】
好適態様によれば、監視室１２内に階段が存在する場合、監視室１２は、第１の通信機械室よりも上位のフロア、かつ、第２の通信機械室よりも低位のフロアに配置される。典型的には、１階と２階に通信機械室１１が構成され、いわゆる「中２階」に、監視室１２が配置される。この態様は、１階と３階に通信機械室１１が配置され、２階に監視室１２が配置される、と評価することもできる。このような構成により、監視室から第１及び第２の通信機械室１１の両方への距離が短くなり、より迅速に、計算機の異常に対応することができる。
【産業上の利用可能性】
【００２３】
本考案によれば、データセンターにおけるセキュリティレベルを低下させることなく、運用する計算機の異常を迅速に修理することができるので、データ通信業界のみならず、クラウド技術等の利用者にとっても貢献が大である。
【符号の説明】
【００２４】
１１：通信機械室              ３１：廊下
１２：監視室                  ３２：倉庫
１３：階段                    ３３：階段
２１・２２：前室              ３４・３５：作業領域
【図１】
0003187109.tif 000003